(57)【要約】【課題】一度に使用したフィルムの使用量又は切り残されたフィルム残量を容易に把握できて使い勝手の良い農業用フィルムを提供すること。【解決手段】フィルム１表面又は裏面の少なくともいずれかに、フィルム長さ方向に沿ってフィルム長さを示す数字２を設けたことを特徴とする農業用フィルムであり、フィルム１は、フィルム長さ方向に沿って一定間隔で作物を植生する植穴が連続して形成された穴あきマルチフィルムを好ましく用いることができる。【選択図】      図１
2005204597.tif 000002
【特許請求の範囲】
【請求項１】
フィルム表面又は裏面の少なくともいずれかに、フィルム長さ方向に沿って端部からのフィルム長さを示す数字を設けたことを特徴とする農業用フィルム。
【請求項２】
前記フィルムは、フィルム長さ方向に沿って一定間隔で作物を植生する植穴が連続して形成された穴あきマルチフィルムであることを特徴とする請求項１記載の農業用フィルム。
【請求項３】
前記数字は、フィルムの使用端から順次数値が大きくなるように設けられていることを特徴とする請求項１又は２記載の農業用フィルム。
【請求項４】
前記数字は、フィルムの使用端から順次数値が小さくなるように設けられていることを特徴とする請求項１又は２記載の農業用フィルム。
【発明の詳細な説明】
【技術分野】
【０００１】
本発明は、農業用フィルムに関し、詳しくは、フィルムの使用長さ又は未使用のフィルムの残り長さを容易に確認できるようにした農業用フィルムに関する。
【背景技術】
【０００２】
農業用フィルムは、野菜や果物等の栽培用のハウスやトンネル栽培に被覆展張されるフィルムとして、または、マルチ栽培を行うために畝面に被覆されるマルチフィルム等として大いに利用されている（特許文献１）。
【０００３】
このような農業用フィルムは広い面積に亘って使用されることから、一般には長尺状に成形され、ロール状に巻き取られた巻取りフィルムの形態或いは所定幅に折り畳まれた折畳みフィルムの形態とされている。従って、これを使用する場合は、フィルム端部から順次繰り出してハウスへの展張や畝面への被覆を行った後、残りを切断するようにしている。
【特許文献１】特開２００３−１９１３９２号公報
【発明の開示】
【発明が解決しようとする課題】
【０００４】
従来の農業用フィルムでは、所定の長さのフィルムを使用して切断した際、使用者はそのフィルムの使用長さや切り残された未使用フィルムの残り長さを把握することが困難である。このため、一度の使用で使い切らずに残されたフィルムを再び使用する際、フィルムの残り長さがわからないために、予備のフィルムを用意し忘れてしまい、必要長さに足りずにハウスやトンネルに展張できなかったり、必要な長さの畝面を被覆しきれなかったりする問題があった。また、逆に、予備のフィルムを用意しても使用せずに済んでしまい、わざわざ用意したフィルムが無駄となってしまう問題もあった。
【０００５】
そこで、本発明は、一度に使用したフィルムの使用長さ又は切り残されたフィルムの残り長さを容易に把握できて使い勝手の良い農業用フィルムを提供することを課題とする。
【０００６】
本発明の他の課題は、以下の記載により明らかとなる。
【課題を解決するための手段】
【０００７】
上記課題は、以下の各発明によって解決される。
（請求項１）
フィルム表面又は裏面の少なくともいずれかに、フィルム長さ方向に沿って端部からのフィルム長さを示す数字を設けたことを特徴とする農業用フィルム。
（請求項２）
前記フィルムは、フィルム長さ方向に沿って一定間隔で作物を植生する植穴が連続して形成された穴あきマルチフィルムであることを特徴とする請求項１記載の農業用フィルム。
（請求項３）
前記数字は、フィルムの使用端から順次数値が大きくなるように設けられていることを特徴とする請求項１又は２記載の農業用フィルム。
（請求項４）
前記数字は、フィルムの使用端から順次数値が小さくなるように設けられていることを特徴とする請求項１又は２記載の農業用フィルム。
【発明の効果】
【０００８】
請求項１記載の発明によれば、切断部付近の数字を確認することにより、今使用したフィルムの使用長さ又はフィルムの残り長さを容易に把握することができ、これにより、切り残されたフィルムを次回使用する際には、必要長さに不足すること或いは必要長さに十分足りていること等を、使用者が予め認識しておくことができ、使い勝手の向上を図ることができる。
【０００９】
請求項２記載の発明によれば、切り離された使用フィルム中に何個の植穴が設けられているか、すなわち、何株の作物を栽培することができるか、或いは実際に何株の作物が栽培されているかを、わざわざ植穴を数える必要なく容易に確認することができるようになる。
【００１０】
請求項３記載の発明によれば、切り残されたフィルムの切断部付近の数字を確認することにより、フィルムの使用長さを容易に把握することができ、そこから逆算して、フィルムの残り長さを容易に把握することができる。
【００１１】
請求項４記載の発明によれば、切り残されたフィルムの切断部付近の数字を確認することにより、フィルムの残り長さを容易に把握することができ、そこから逆算して、フィルムの使用長さを容易に把握することができる。
【発明を実施するための最良の形態】
【００１２】
以下、本発明の実施の形態について図面を用いて詳細に説明する。
【００１３】
図１は、本発明に係る農業用フィルムを示す斜視図である。図中、１はフィルムであり、その一方端部は巻芯１１にロール状に巻き取られて巻取りフィルム１０の形態とされ、そこから使用し始める際に繰り出すための端部となる使用端１ａを順次繰り出すことにより使用される。
【００１４】
フィルム１の表面には、フィルム長さ方向に沿って端部からのフィルム長さを示す数字２が、その使用端１ａから巻取りフィルム１０側に行くに従って順次数値が大きくなるように連続して設けられている。これら数字２は、光透過機能又は光反射機能等のフィルム１の本来の機能を損なわないように適宜設ければ良いが、多くの場合、フィルム１の長さ方向の側端近傍に設けることが好ましい。
【００１５】
図示する態様では、数字２を１ｍ間隔、メートル単位で表示した例を示しているが、数字２を設ける間隔は端部からのフィルム長さを示すものであれば良く、例えば５０ｃｍ間隔等とすることもできる。また、数字２の単位もメートル単位に限らず、センチメートル単位、ミリメートル単位等任意である。
【００１６】
数字２は、フィルム１の表面に印刷することにより設けることができ、例えばインクジェットプリンタを用いて、所定間隔で連続して印刷することにより形成することができる。
【００１７】
また、例えば使用端１ａに近い数字２を青色とし、徐々に残りの長さが少なくなるにつれて黄色、赤色等というように、フィルム１の長さ位置によって数字２の色を異ならせるようにしてもよい。
【００１８】
このような数字２は、フィルム１の表面に限らず、フィルム１の裏面に設けるようにしてもよい。フィルム１が使用時に表裏の区別を必要とするものである場合には、例えば数字２が設けられている側を表とすることで、容易にフィルム１の表裏を区別できるようにすることもできる。また、フィルム１の表裏両面に数字２を設けるようにしてもよい。
【００１９】
このようなフィルム１は、巻取りフィルム１０から使用端１ａを順次繰り出して、ハウスやトンネルに展張したり、畝面に被覆した後、所望長さとなった時点で切断される。このとき、切断部付近の数字２を確認することにより、今使用したフィルム１が何ｍであったかを容易に把握することができる。また、フィルム１の全体の長さは予め判っているため、使用長さから逆算することにより、巻取りフィルム１０にはフィルム１があと何ｍ残っているかを容易に把握することができる。これにより、切り残されたフィルム１を次回使用する際には、必要長さに不足すること或いは必要長さに十分足りていること等を、使用者が予め認識しておくことができ、使い勝手の向上を図ることができる。また、使用者にとっては、次回の作業に備えて前もって新たなフィルムを購入しておくとか、予備のフィルムを用意して作業に臨む等の対策を高い確実性で実行することができるようになり、作業性にも優れるようになる。
【００２０】
また、フィルム１の使用長さが予め判っているような場合には、わざわざメジャー等を用いる必要なく、数字２を目印として、作業に先立って予め必要長さを切断して切り離しておくこともできる。例えば、使用長さがほぼ１０ｍであることが判っている場合、１０ｍ毎の数字２の位置で切断して小分けにしておくことで、わざわざ重い巻取りフィルム１０全体を作業場まで持ち運ぶ必要をなくすことができる。
【００２１】
更に、フィルム１が、図２に示すように、フィルム１の長さ方向に沿って一定間隔で作物を植生する植穴１２が連続して形成された穴あきマルチフィルムである場合には、隣接する植穴１２の間隔Ａは予め決まっていることから、切り離された使用フィルム中に何個の植穴１２が設けられているか、すなわち、何株の作物を栽培することができるか、或いは実際に何株の作物が栽培されているかを、わざわざ植穴１２を数える必要なく容易に確認することができるようになる。例えば、間隔Ａが３５ｃｍである場合、図２では、フィルム１の使用長さが約３７ｍであると把握することができるから、３７００／３５≒１０５．７から、使用フィルム中には１０５個の植穴１２が設けられていることが判り、植付け作業に際して１０５株の作物を用意すればよいこと、或いは既に植え付けられている作物が１０５株であることを容易に確認することができる。
【００２２】
フィルム１に設けられる数字２は、使用端１ａからの長さを示す数字に加えてフィルム１全体の長さを示す数字を設けても良く、この場合、例えば全長２００ｍのフィルムの場合、「１０／２００」「１１／２００」「１２／２００」等というように、分母にフィルム１全体の長さを示す数字を表示し、分子に使用端１ａからの長さを示す数字を表示すれば、フィルム１の全体長さからフィルム１の残り長さを把握することができる。
【００２３】
また、数字２は、以上説明したように、フィルム１の使用端１ａから巻取りフィルム１０側に行くに従って順次数値が大きくなるように設けるものに限らず、その逆に、フィルム１の使用端１ａから巻取りフィルム１０側に行くに従って順次数値が小さくなるように設けるようにしてもよい。すなわち、その数字は、使用端１ａと反対端の巻芯１１に巻き取られた端部からのフィルム長さを表示していることになる。この場合は、切り残されたフィルム１の切断部付近の数字２を確認することにより、巻取りフィルム１０にはフィルム１があと何ｍ残っているかを容易に把握することができ、そこから逆算して、使用したフィルム１が何ｍであるかを容易に把握することができる。
【００２４】
更に、例えば全長２００ｍのフィルムの場合、フィルム１の使用端１ａから順次「１０／１９０」「１１／１８９」「１２／１８８」等というように、分母にフィルム１全体の長さを示す数字を、フィルム１の使用端１ａから巻取りフィルム１０側に行くに従って順次数値が小さくなるように表示し、分子に使用端１ａからの長さを示す数字を、フィルム１の使用端１ａから巻取りフィルム１０側に行くに従って順次数値が大きくなるように表示してもよい。このようにすると、分数表示された数字を確認するだけで、フィルム１の使用長さと切り残されたフィルム１の残り長さとを逆算することなく同時に把握することができる。
【００２５】
また、数字２は、フィルム１の長さ方向の両側縁近傍にそれぞれ設けるようにしてもよい。この場合は、図３に示すように、一方の数字２ａを、使用端１ａから巻取りフィルム１０側に行くに従って順次数値が大きくなるように設け、他方の数字２ｂを、使用端１ａから巻取りフィルム１０側に行くに従って順次数値が小さくなるように設けるようにすると、切断部付近の両方の数字２ａ、２ｂをそれぞれ確認すれば、フィルム１の使用長さと切り残されたフィルム１の残り長さとを逆算することなく把握することができる。これら数字２ａ、２ｂは、フィルム１の表面と裏面とに分けて設けるようにしてもよい。
【００２６】
更に、フィルム１には、長さを示す数字２に加えて、その長さ位置を示す目盛りを設けるようにしてもよい。このような目盛りを設けておけば、切断箇所を目盛り位置に一致させるようにすることで、フィルム１を所定長さで正確に切り離すことができる。これにより、例えば全体が２００ｍのフィルムであれば、１０ｍ毎の目盛り位置で切断することで、２０枚のフィルムをそれぞれ正確な長さで切り離すことができる等、フィルム全体の長さから計画的に使用することが容易となる。
【００２７】
図４は、このような目盛り３を設けた態様をそれぞれ示している。
【００２８】
図４（ａ）に示す例では、数字２を、目盛り３に対して使用端１ａとは反対側に配置して設けている。この場合、フィルム１の切断箇所を目盛り３の位置とすれば、切り残されたフィルム１側の切断部近傍に必ず数字２が確認できるようになる。特に、この数字２は、次回の使用端となる切断部近傍に位置しているため、フィルム１がロール状に巻かれていても、数字２を確認できるようになるまでフィルム１を長く繰り出す必要がなく、数字２の確認が容易となる。
【００２９】
図４（ｂ）に示す例では、数字２を、目盛り３に対して使用端１ａ側に配置して設けている。この場合、フィルム１の切断箇所を目盛り３の位置とすれば、切り離されたフィルム１側の切断部近傍に必ず数字２が確認できるようになり、フィルム１の使用長さを容易に把握することができる。
【００３０】
また、このような目盛り３に対して、その目盛り３の長さ位置を示す同一の数字をその両側にそれぞれ設けるようにすると、上記図４（ａ）と（ｂ）の双方の効果を得ることができる。この場合、図４（ｃ）に示すように、同一長さ位置の目盛り３に対して、フィルム１の一方側縁近傍の数字２ｃを使用端１ａとは反対側に配置して設け、他方側縁近傍の数字２ｄを使用端１ａ側に配置して設けるようにしてもよい。
【００３１】
なお、これら図４（ａ）〜（ｃ）に示した数字２、２ｃ、２ｄは、上記したように使用端１ａから順次数値が小さくなるようにしても良く、また、分数表示するようにしてもよい。
【００３２】
図４（ｄ）に示す例では、フィルム１の両側縁近傍にそれぞれ数字２ｅ、２ｆと目盛り３とを設けているが、一方の数字２ｅは、使用端１ａ側から順次数値が大きくなり、目盛り３に対して使用端１ａ側に配置するように設けられ、他方の数字２ｆは、使用端１ａ側から順次数値が小さくなり、目盛り３に対して使用端１ａとは反対側に配置するように設けられている。この場合、フィルム１の切断箇所を目盛り３の位置とすれば、切り離されたフィルム１の使用長さと切り残されたフィルム１の残り長さとの把握が一度に簡単に行えるようになる。
【００３３】
なお、以上の農業用フィルムは、フィルム１を巻芯１１にロール状に巻き取った巻取りフィルム１０の形態とされたものを示したが、何らこれに限定されるものではなく、例えば所定幅に折り畳まれた折り畳みフィルムの形態とされるものであってもよい。
【図面の簡単な説明】
【００３４】
【図１】本発明に係る農業用フィルムを示す斜視図
【図２】途中で切断された状態の穴あきマルチフィルムを示す平面図
【図３】フィルムに設けられる数字の他の態様を示すフィルムの部分平面図
【図４】（ａ）〜（ｃ）は、数字と目盛りを設けたフィルムの態様をそれぞれ部分平面図
【符号の説明】
【００３５】
１：フィルム
１ａ：使用端
２、２ａ〜２ｆ：数字
３：目盛り
１０：巻取りフィルム
１１：巻芯
【図１】
2005204597.tif 000003
【図２】
2005204597.tif 000004
【図３】
2005204597.tif 000005
【図４】
2005204597.tif 000006